(57)【特許請求の範囲】
【請求項１】
相毎に複数の巻線を備えた交流電動機と、前記複数の巻線を切換える巻線切換手段と、前記交流電動機を駆動するインバータ装置とを備え、
前記インバータ装置は、巻線切換指令信号を出力する巻線切換指令信号発生器と、
複数内蔵した前記交流電動機の電動機定数を、前記巻線切換指令信号の出力に応じて切換える定数切換器と、
前記定数切換器が前記交流電動機の電動機定数を切換えてから、前記巻線切換手段により前記巻線が切換わるまでの間は、前記交流電動機に流れる電動機電流の検出値を、前記電動機定数の変化に応じて補正する電流検出値補正演算器と、を備えることを特徴とする交流電動機の巻線切換装置。
【請求項２】
相毎に複数の巻線を備えた交流電動機と、前記複数の巻線を切換える巻線切換手段と、前記交流電動機を駆動するインバータ装置とを備え、
前記インバータ装置は、巻線切換指令信号を出力する巻線切換指令信号発生器と、
複数内蔵した前記交流電動機の電動機定数を、前記巻線切換指令信号の出力に応じて切換える定数切換器と、
前記定数切換器が前記交流電動機の電動機定数を切換えてから、前記巻線切換手段により前記巻線が切換わるまでの間は、前記交流電動機に流れる電動機電流の検出値を、前記交流電動機への電流指令値の巻線切換前後の変化に応じて補正する電流検出値補正演算器と、を備えることを特徴とする交流電動機の巻線切換装置。
【請求項３】
前記インバータ装置は、さらに、前記交流電動機への電流指令値を前記交流電動機の磁束方向を基準としたｄｑ座標系で、トルク指令及び前記電動機定数に基づきｄ軸、ｑ軸電流指令値として算出する電流指令演算器と、
前記交流電動機への出力電圧を前記ｄ軸、ｑ軸電流指令値が、前記電動機電流のｄｑ座標変換値であるｄ軸、ｑ軸電流検出値に一致するように算出する電流制御器と、を備えることを特徴とする請求項１に記載の交流電動機の巻線切換装置。
【請求項４】
前記電流検出値補正演算器は、前記巻線の切換前後の前記電動機定数と、前記交流電動機への電流指令値または前記電動機電流検出値の関数、あるいはテーブルとを用いて、前記電動機電流の検出値への補正値を算出することを特徴とする請求項１又は３に記載の交流電動機の巻線切換装置。
【請求項５】
前記電動機定数は、少なくとも電機子インダクタンスを含んでいることを特徴とする請求項１〜３のいずれか１つに記載の交流電動機の巻線切換装置。
【請求項６】
前記インバータ装置は、さらに、キャリア信号に同期して前記出力電圧をＰＷＭ制御して前記交流電動機に出力するＰＷＭ制御器を備え、
前記電流検出値補正演算器は、前記キャリア信号に同期して前記電動機電流の検出値への補正を行うようにすることを特徴とする請求項１〜３のいずれか１つに記載の交流電動機の巻線切換装置。
【請求項７】
前記電流検出値補正演算器は、前記巻線の切換前後の前記電動機定数の比率に応じて前記電動機電流の検出値への補正を行うようにすることを特徴とする請求項１又は３に記載の交流電動機の巻線切換装置。
【請求項８】
前記電流検出値補正演算器は、前記巻線の切換前後の前記電流指令値の比率に応じて前記電動機電流の検出値への補正を行うようにすることを特徴とする請求項２に記載の交流電動機の巻線切換装置。
【請求項９】
巻線切換手段により切換え可能な複数の巻線を相毎に備えた交流電動機に接続され、
巻線切換指令信号を出力する巻線切換指令信号発生器と、
複数内蔵した前記交流電動機の電動機定数を、前記巻線切換指令信号の出力に応じて切換える定数切換器と、
前記定数切換器が前記交流電動機の電動機定数を切換えてから、前記巻線切換手段により前記巻線が切換わるまでの間は、前記交流電動機に流れる電動機電流の検出値を、前記電動機定数の変化に応じて補正する電流検出値補正演算器と、を備え、
前記交流電動機を駆動することを特徴とするインバータ装置。
【請求項１０】
巻線切換手段により切換え可能な複数の巻線を相毎に備えた交流電動機に接続され、
巻線切換指令信号を出力する巻線切換指令信号発生器と、
複数内蔵した前記交流電動機の電動機定数を、前記巻線切換指令信号の出力に応じて切換える定数切換器と、
前記定数切換器が前記交流電動機の電動機定数を切換えてから、前記巻線切換手段により前記巻線が切換わるまでの間は、前記交流電動機に流れる電動機電流の検出値を、前記交流電動機への電流指令値の巻線切換前後の変化に応じて補正する電流検出値補正演算器と、を備え、
前記交流電動機を駆動することを特徴とするインバータ装置。
【請求項１１】
前記交流電動機への電流指令値を前記交流電動機の磁束方向を基準としたｄｑ座標系で、トルク指令及び前記電動機定数に基づきｄ軸、ｑ軸電流指令値として算出する電流指令演算器と、
前記交流電動機への出力電圧を前記ｄ軸、ｑ軸電流指令値が、前記電動機電流のｄｑ座標変換値であるｄ軸、ｑ軸電流検出値に一致するように算出する電流制御器を備えることを特徴とする請求項９に記載のインバータ装置。
【請求項１２】
前記電流検出値補正演算器は、前記巻線の切換前後の前記電動機定数と、前記交流電動機への電流指令値または前記電動機電流検出値の関数、あるいはテーブルとを用いて、前記電動機電流の検出値への補正値を算出することを特徴とする請求項９又は１１に記載のインバータ装置。
【請求項１３】
前記電流検出値補正演算器は、前記巻線の切換前後の前記電動機定数の比率に応じて前記電動機電流の検出値への補正を行うようにすることを特徴とする請求項９又は１１に記載のインバータ装置。
【請求項１４】
前記電流検出値補正演算器は、前記巻線の切換前後の前記電流指令値の比率に応じて前記電動機電流の検出値への補正を行うようにすることを特徴とする請求項１０に記載のインバータ装置。
【発明の詳細な説明】
【技術分野】
【０００１】
本発明は、交流電動機の電機子巻線（以降、単に「巻線」と呼ぶ）を切換えることによって速度制御範囲を拡大する巻線切換装置および巻線切換機能を有するインバータ装置に関するものであり、車両駆動、工作械主軸駆動、クレーンの横行・走行、巻取り機など、広範囲の産業技術分野において適用されるものである。
【背景技術】
【０００２】
インバータ装置によって駆動される工作機械の主軸や車両の駆動装置において、低速領域で十分に大きいトルクを得ると共に、高速領域での高効率な運転を可能にするための手段として、巻線切換方法が採用されている。
図１１に示すスター・デルタ巻線切換方法は、工作機械の主軸駆動等に広く実用されているものの一例である。図１１において、６２２は交流電源、６１６から６２１は３相全波整流回路を構成するダイオード、６１５は平滑コンデンサ、６１４は交流電源６２２を直流電源に変換するコンバータ部である。端子ＴＰ，ＴＮはコンバータ部６１４の直流出力端子であり、インバータ部６０１の入力となる。６０２は交流電動機、Ｔ１からＴ６は巻線切換に用いられる端子、６０３と６０４は電磁接触器等の開閉器である。
【０００３】
開閉器６０４を開放して開閉器６０３を閉じるとスター（Ｙ）結線となり、開閉器６０４を閉じて開閉器６０３を開放すればデルタ（Δ）結線となる。低速領域ではスター（Ｙ）結線を選択し、十分に高い電圧を印加することで同一電流に対して大きいトルクを得ることができる。電動機のインピーダンスが周波数に比例して大きくなり、高速領域では電流が流れにくくなるため、インピーダンスの低いデルタ（Δ）結線を選択することで電流を流れやすくすることができる。また、同期電動機では、逆起電圧により高速時に電圧が飽和するため、トルクを発生させるために弱め磁束制御などを行うが、余分な電流が流れて効率が落ちるため、巻線切換により逆起電圧自体を減少させることで、高速でも高効率の運転を行うことが可能となる。
【０００４】
巻線切換方式には、この他にも二組のスター巻線を直並列に切換える方法もある（例えば、特許文献１参照）。しかしこれらの方法は、いずれも機械的接点を持ったスイッチによって切換えることを前提としており、切換え時にインバータ装置からの電流遮断を余儀なくされるため、トルクが途切れてショックが発生するという問題点がある。
これに対し、半導体スイッチを利用した方法により、この遮断時間を短縮する方法が提案されている（例えば、特許文献２参照）。
また、巻線切換によるショックを低減するため、電動車両において、加減速中では巻線切換を行わず、加減速をしていない場合にのみ巻線切換を行う方法が提案されている（例えば、特許文献３参照）。
また、巻線切換を行う電動機システムを２台並列に接続し、両者の巻線切換タイミングをずらすことによって２台の合計トルクの変動を抑える方法も提案されている（例えば、特許文献４参照）。
このように従来の巻線切換装置は、巻線切換時にインバータ装置からの電流を遮断あるいは電流を０近傍にした上で切換動作をするものである。
【特許文献１】特許第３０３７４７１号公報
【特許文献２】特許第３９４８００９号公報（第３−６頁、図１）
【特許文献３】特開平０６−２２５５８８号公報（図１）
【特許文献４】特開平０６−２１７５９６号公報（図１）
【発明の開示】
【発明が解決しようとする課題】
【０００５】
従来の３相交流電動機の巻線切換装置は、機械的接点を用いているため、接点を入り切りする機構動作のための時間が必要であり、また寿命を考慮して一旦電流を遮断した上で、いわゆる無電流開閉を行っており、これらの時間を総合すると、無視できない程度（通常、数十ミリ秒）の無駄時間が生じることになる。この無駄時間は、例えば工作機械主軸駆動装置においては、最終製品の品質に影響することになり、また、車両の駆動装置では乗り心地に影響を与える。更に接点寿命が有限であるため、メンテナンスの手間がかかる。
一方、電気式スイッチによる方式は、この無駄時間を短縮するのに有効であるが、巻線切換時に遮断あるいは電流を０とする必要があった。
また、自動車における加減速中の切換を禁止する方法では、ショックはなくなるものの、例えば高速まで連続して加速する場合には効率が悪くトルクも出なくなるという問題点がある。
２台のシステムを並列にして巻線切換時間をずらす方法では、システムが大きくなり、またコストがかかるという問題点がある。
本発明はこのような問題点に鑑みてなされたものであり、加減速中などの条件下でも巻線切換時のショックがなく、簡単な構成で実現できる３相交流電動機の巻線切換装置を提供することを目的とする。
【課題を解決するための手段】
【０００６】
上記課題を解決するため、本発明の一の観点によれば、相毎に複数の巻線を備えた交流電動機と、前記複数の巻線を切換える巻線切換手段と、前記交流電動機を駆動するインバータ装置とを備え、前記インバータ装置は、巻線切換指令信号を出力する巻線切換指令信号発生器と、複数内蔵した前記交流電動機の電動機定数を、前記巻線切換指令信号の出力に応じて切換える定数切換器と、前記定数切換器が前記交流電動機の電動機定数を切換えた後、前記巻線切換手段が前記巻線を切換える前までの間は、前記交流電動機に流れる電動機電流の検出値を、前記交流電動機の電動機定数の変化に応じて補正する電流検出値補正演算器と、を備える交流電動機の巻線切換装置が適用される。
さらに、前記インバータ装置は、前記交流電動機への電流指令値を前記交流電動機の磁束方向を基準としたｄｑ座標系で、トルク指令及び前記電動機定数に基づきｄ軸、ｑ軸電流指令値として算出する電流指令演算器と、前記交流電動機への出力電圧を前記ｄ軸、ｑ軸電流指令値が、前記電動機電流のｄｑ座標変換値であるｄ軸、ｑ軸電流検出値に一致するように算出する電流制御器と、を備える交流電動機の巻線切換装置が適用される。
さらに、前記電流検出値補正演算器は、前記巻線の切換前後の前記電動機定数と、前記交流電動機への電流指令値または前記電動機電流検出値の関数、あるいはテーブルとを用いて、前記電動機電流の検出値への補正値を算出する交流電動機の巻線切換装置が適用される。
さらに、前記電動機定数は、少なくとも電機子インダクタンスを含んでいる交流電動機の巻線切換装置が適用される。
さらに、前記インバータ装置は、キャリア信号に同期して前記出力電圧をＰＷＭ制御して前記交流電動機に出力するＰＷＭ制御器を備え、前記電流検出値補正演算器は、前記キャリア信号に同期して前記電動機電流の検出値への補正を行う交流電動機の巻線切換装置が適用される。
さらに、前記電流検出値補正演算器は、前記巻線の切換前後の前記電動機定数の比率に応じて前記電動機電流の検出値への補正を行う交流電動機の巻線切換装置が適用される。
また、本発明の他の観点によれば、相毎に複数の巻線を備えた交流電動機と、前記複数の巻線を切換える巻線切換手段と、前記交流電動機を駆動するインバータ装置とを備え、前記インバータ装置は、巻線切換指令信号を出力する巻線切換指令信号発生器と、複数内蔵した前記交流電動機の電動機定数を、前記巻線切換指令信号の出力に応じて切換える定数切換器と、前記定数切換器が前記交流電動機の電動機定数を切換えてから、前記巻線切換手段により前記巻線が切換わるまでの間は、前記交流電動機に流れる電動機電流の検出値を、前記交流電動機への電流指令値の巻線切換前後の変化に応じて補正する電流検出値補正演算器と、を備える交流電動機の巻線切換装置が適用される。
さらに、前記電流検出値補正演算器は、前記巻線の切換前後の前記電流指令値の比率に応じて前記電動機電流の検出値への補正を行う交流電動機の巻線切換装置が適用される。
【０００７】
また、本発明の他の観点によれば、巻線切換手段により切換え可能な前記複数の巻線を相毎に備えた交流電動機に接続され、巻線切換指令信号を出力する巻線切換指令信号発生器と、複数内蔵した前記交流電動機の電動機定数を、前記巻線切換指令信号の出力に応じて切換える定数切換器と、前記定数切換器が前記交流電動機の電動機定数を切換えた後、前記巻線切換手段が前記巻線を切換える前までの間は、前記交流電動機に流れる電動機電流の検出値を、前記電動機定数の変化に応じて補正する電流検出値補正演算器と、を備える前記交流電動機を駆動するインバータ装置が適用される。
さらに、前記交流電動機への電流指令値を前記交流電動機の磁束方向を基準としたｄｑ座標系で、トルク指令及び前記電動機定数に基づきｄ軸、ｑ軸電流指令値として算出する電流指令演算器と、前記交流電動機への出力電圧を前記ｄ軸、ｑ軸電流指令値が、前記電動機電流のｄｑ座標変換値であるｄ軸、ｑ軸電流検出値に一致するように算出する電流制御器を備えるインバータ装置が適用される。
さらに、前記電流検出値補正演算器は、前記巻線の切換前後の前記電動機定数と、前記交流電動機への電流指令値または前記電動機電流検出値の関数、あるいはテーブルとを用いて、前記電動機電流の検出値への補正値を算出するインバータ装置が適用される。
さらに、前記電流検出値補正演算器は、前記巻線の切換前後の前記電動機定数の比率に応じて前記電動機電流の検出値への補正を行うインバータ装置が適用される。
また、本発明の他の観点によれば、巻線切換手段により切換え可能な前記複数の巻線を相毎に備えた交流電動機に接続され、巻線切換指令信号を出力する巻線切換指令信号発生器と、複数内蔵した前記交流電動機の電動機定数を、前記巻線切換指令信号の出力に応じて切換える定数切換器と、前記定数切換器が前記交流電動機の電動機定数を切換えてから、前記巻線切換手段により前記巻線が切換わるまでの間は、前記交流電動機に流れる電動機電流の検出値を、前記交流電動機への電流指令値の巻線切換前後の変化に応じて補正する電流検出値補正演算器と、を備える前記交流電動機を駆動するインバータ装置が適用される。
さらに、前記電流検出値補正演算器は、前記巻線の切換前後の前記電流指令値の比率に応じて前記電動機電流の検出値への補正を行うインバータ装置が適用される。
【発明の効果】
【０００８】
本発明によると、巻線切換前後における交流電動機発生トルクの不連続性、電機子電流のオーバーシュートや応答遅れあるいは不整合状態などを補償し、最大トルク／電流制御から定出力制御の移行、あるいは定出力制御から最大トルク／電流制御への移行等を円滑に行うことができるので、トルク変動のショックを大幅に低減することが可能となる。その結果、工作機械主軸駆動制御における加工精度の向上や、車両駆動装置での乗心地の改善などの効果が得られる。
【発明を実施するための最良の形態】
【０００９】
以下、本発明の実施の形態について図１〜図１０を参照して説明する。
【実施例１】
【００１０】
図１は、本発明の３相交流電動機の巻線切換装置の全体ブロック図である。同図において、１５はインバータ装置、２０は３相交流電動機、２１は位置検出器、３０は巻線切換器である。
次に、インバータ装置１５の構成について説明する。１はトルク指令を生成するトルク指令発生器である。２は電流指令演算器であり、速度，効率あるいは電圧などに応じて、トルク指令と定出力制御器１２から出力されるｄ軸電流指令補正値と電動機定数をもとにｄ軸電流指令およびｑ軸電流指令を生成する。３はｄ軸電流指令Ｉｄ_refとｑ軸電流指令Ｉｑ_refに追従して３相交流電動機２０に電流を流すように電圧指令を生成する電流制御器である。４は、電流制御器３で生成された電圧指令に従って３相交流電動機２０に可変周波数の可変電圧を供給するＰＷＭ制御器である。５は電流検出器で、３相交流電動機２０の巻線に流れる電流を検出する。６は電流検出器５で検出した電流を制御演算に使用する信号に変換するためのＡ／Ｄ変換器である。７はテーブルもしくは近似式を用いてｄ軸電流指令補正値を演算するｄ軸電流指令補正値演算器である。８は位置検出器２１により検出した位置を微分して速度を得るための速度検出器である。９は３相交流電動機２０の速度やトルク指令に応じて巻線切換タイミングを決定し、巻線切換器３０に与える巻線切換指令信号を発生する巻線切換指令信号発生器である。１０は巻線切換指令信号に従い、電流指令演算器２および電流制御器３で用いる電動機定数や制御パラメータを切り換える定数切換器である。１１はコンバータ部出力のＰＮ間電圧を検出するＰＮ間電圧検出器である。１２は定出力制御器であり、インバータ出力電圧が設定した任意の最大電圧を越える場合に、インバータ出力電圧と設定した任意の最大電圧の差に基づいて、ＰＩ制御演算またはＩ制御演算してｄ軸電流指令補正値を求め、ｄ軸電流指令を補正することで出力電圧を制限し、インバータ装置１５からの出力電圧を一定に保つ制御を行う。
【００１１】
３相交流電動機２０は、巻線の各相の両端および中間点を引き出す接続端子（Ａ１〜Ａ６，Ｂ１〜Ｂ３）を有しており、２通りの巻線接続方法を選択できる構成となっている。位置検出器２１は３相交流電動機２０の回転子位置を検出する。通常エンコーダやレゾルバが使用される。
巻線切換器３０は２つの巻線切換手段を持っており、３相交流電動機２０の巻線の終端と中間点に接続され、終端あるいは中間点を短絡することにより、２通りの巻線特性を切り換える構成となっている。終端を短絡した場合は巻線インピーダンスが大きくなるため低速で大トルクを得ることができ、中間点を短絡することで、インピーダンスを小さくして高速でのトルク発生が可能となる。
なお、実施例１では、巻線切換器３０とインバータ装置１５をそれぞれ別置きとしたが、両者を一体化して巻線切換機能を内蔵したインバータ装置としてもよく、この場合、インバータ装置としての汎用性を損なうが、設置面積や配線工数などを考慮した場合、全体的なメリットが得られる。
【００１２】
ここで、巻線切換によって変化する定数について、同期電動機の場合を例にとり説明する。同期電動機は、回転子の磁束に同期したｄｑ座標系で電圧電流方程式を求めると以下のように表わすことができる。
【００１３】
【数１】
0005535285.tif 000002
ただし、ｐ：微分演算子、Ｉｄ，Ｉｑ：ｄ軸，ｑ軸電流、Ｖｄ，Ｖｑ：ｄ軸，ｑ軸電圧、ω：電動機回転子の電気角速度、Ｒ：電機子巻線抵抗、Ｌｄ，Ｌｑ：ｄ軸，ｑ軸の電機子巻線インダクタンス、Φ：電機子鎖交磁束
式（１）からｄｑ軸干渉分および誘起電圧分を補償する電圧フィードフォワードを、
【００１４】
【数２】
0005535285.tif 000003
とすることによって、同期電動機は単純なＲＬ負荷とみなすことができるため、次のようなＰＩ制御により電流制御器を構成することができる。
【００１５】
【数３】
0005535285.tif 000004
ただし、Ｉｄ＊，Ｉｑ＊はｄ軸およびｑ軸の電流指令、ＫＰｄ，ＫＰｑはそれぞれｄ軸とｑ軸の電流制御器の比例ゲイン、ＴＩｄ，ＴＩｑは積分時定数、vacrd，vacrqはｄ軸，ｑ軸の電流制御器のＰＩ制御出力である。
ここで、積分時定数と比例ゲインは一般的に電動機定数を元に決定される。例えば、積分時定数ＴＩｄ，ＴＩｑを電動機の電気的時定数、
【００１６】
【数４】
0005535285.tif 000005
とすることにより、式（３）と同期電動機との伝達関数は一次遅れ系とみなすことができ、比例ゲインＫＰｄ，ＫＰｑにより応答を設定することができる。この時の応答周波数をfとすると、
【００１７】
【数５】
0005535285.tif 000006
により比例ゲインを求めることができる。
また、トルクは以下の式のようになる。
【００１８】
【数６】
0005535285.tif 000007
ただし、P：極対数
電流指令演算器２は式（４）や高効率位相、および定出力制御などによりｄｑ軸電流指令を求める。
ここで、図１の３相交流電動機２０の巻線の中間点（Ｂ１〜Ｂ３）を各巻線の切換点であるとすると、高速モード時の各電動機定数は以下のようになる。
電機子巻線抵抗：Ｒｈ＝Ｒ／２
ｄ軸，ｑ軸の電機子巻線インダクタンス：Ｌｄｈ = Ｌｄ／４、Ｌｑｈ＝Ｌｑ／４
電機子鎖交磁束：Φｈ＝Φ／２
したがって、これらを用いて演算される値、つまり式（２）の演算用の係数、式（３）の制御定数、および式（４）から求められる電流指令演算のために使用される係数のそれぞれをデータ（巻線1用定数、巻線２用定数）として定数切換器１０で持っておき、巻線切換信号によってそれらの巻線定数を切換えるようにする。
【００１９】
次に、巻線切換器３０の動作について説明する。図２に巻線切換器３０の構成の一例を示す。図２の例は、基本的構成において特許第３９４８００９号公報に示されている図１と同じであるが、巻線切換器３０の巻線切換手段１と巻線切換手段２にそれぞれコンデンサ（Ｃ１，Ｃ２）と抵抗（Ｒ１，Ｒ２）を個別に設置していることが異なる。これにより、巻線切換時に余るエネルギーをより効果的に吸収することができる。短絡のための半導体スイッチ（ＳＷ１，ＳＷ２）は１つのみを用いているが、容量が大きい場合にはダイオードブリッジの下段側ダイオードと並列に各相毎に半導体スイッチを設けるようにしてもよい。
以下、図２を基に巻線切換動作について説明する。ＳＷ１をＯＦＦ、ＳＷ２をＯＮとした場合、３相交流電動機２０の終端が短絡されるため、巻線のインピーダンスは最大となる。これを低速モードと呼ぶ。この低速モードでは大トルクを得やすいが、回転数が高速になるに従いトルクの発生が困難になってくる。３相交流電動機２０の回転速度が高くなるにつれて逆起電圧が高くなり、そのためトルク発生に必要な電圧が得にくくなる。ＳＷ１をＯＮ、ＳＷ２をＯＦＦするとインピーダンスを減少させることができる。これを高速モードと呼ぶ。こうすると逆起電圧が減少するためトルクを得やすくすることができる。
【００２０】
このように、低速時はＳＷ１をＯＦＦ、ＳＷ２をＯＮ（低速モード）、高速時はＳＷ１をＯＮ、ＳＷ２をＯＦＦ（高速モード）とすることにより、低速運転時の高トルクと、高速運転時のトルク発生の両立が可能となる。
加速中に電流が流れている状態で低速モードから高速モードへ移行する際、ＳＷ１とＳＷ２の間に挟まれた巻線のエネルギーはスイッチを切換えると同時に、ＳＷ２と並列に接続されたコンデンサＣ２へ移動する。インバータ側の巻線は、その後、高速モードの制御に従って適切なトルクが得られるように制御される。ただし、巻線インピーダンスが小さくなるので、一時的な電流増加となる場合がある。切換えた瞬間に一時的に電流増加があるが、その後はトルク指令発生器１からのトルク指令に従ってトルクが制御され、大きなショックとはならない。
また、高速モードから低速モードへ移行する場合は、巻線のエネルギーはＳＷ１と並列に接続されたコンデンサＣ１と、終端側巻線へ移動する。この場合は、巻線インピーダンスが大きくなるので、一時的な電流低下となる場合があるが、低速モードの制御に従って適切なトルクが得られるように制御される。
【００２１】
３相交流電動機２０を駆動し、３相交流電動機２０の速度やトルク指令に応じて巻線を低速モードから高速モードに切り換える場合、トルク指令発生器１において、トルク指令Ｔ_refを生成し、電流指令演算器２に与える。この場合、トルク指令は外部などから入力したトルク指令でも、速度制御器からの出力であるトルク指令でもよい。
電流指令演算器２は、最大トルク／電流制御を行う場合、すなわち、電動機の電流振幅を同一の値とした時に、最大のトルクを発生することができる電流位相を高効率位相βと定義すると、式（５）にてｄ軸電流指令を生成する。なお、βは主磁束（ｄ軸）方向と直交する方向を０とした電流ベクトルの位相、言い換えれば、ｑ軸方向を基準とした電流位相を意味する。
【００２２】
【数７】
0005535285.tif 000008
ここで、Ｋはトルク−電流換算係数である。また、ｑ軸電流指令は、式（６）にて求める。
【００２３】
【数８】
0005535285.tif 000009
トルク精度を向上するために、Ｌｄ，Ｌｑの電流による変化を考慮した式（７）を用いてもよい。
【００２４】
【数９】
0005535285.tif 000010
ここで、Ｋｄはｄ軸電流により変化する係数である。またＫｑはｑ軸電流により変化する係数である。
【００２５】
定出力制御器１２から出力されるｄ軸電流指令補正値が０ではない場合、式（５）から算出されたｄ軸電流指令Ｉｄ_refにｄ軸電流指令補正値を加算したものをｄ軸電流指令値とし、新たに算出されたｄ軸電流指令値を用いて式（６）あるいは式（７）にてｑ軸電流指令値を算出する。
電流指令演算器２で算出されたｄ軸電流指令Ｉｄ_refとｑ軸電流指令Ｉｑ_refは電流制御器３に入力される。電流制御器３では、電流検出器５で検出した電流をＡ／Ｄ変換器６で取り込み、３相電流をｄ軸およびｑ軸電流に変換してフィードバック電流を生成し、ｄ軸電流指令Ｉｄ_refとｑ軸電流指令Ｉｑ_refとの偏差量をＰＩ制御等によって演算し電圧指令Ｖｄ，Ｖｑを求める。このｄ軸およびｑ軸の電圧指令をさらに３相交流電動機２０に印加する３相電圧に変換するため、Ｕ相，Ｖ相，Ｗ相の電圧指令Ｖu_ref，Ｖv_ref，Ｖw_refが生成される。このとき、位置検出器２１より検出された電動機の位相θを用いる。
電流制御器３で生成された電圧指令Ｖu_ref，Ｖv_ref，Ｖw_refは、ＰＷＭ制御器４に入力され、３相交流電動機２０にＰＷＭ電圧が印加され、３相交流電動機２０はトルク指令Ｔ_refに従って駆動される。
【００２６】
巻線切換を速度基準（以下、巻線切換速度と呼ぶ）で行う場合、巻線切換指令信号発生器９において、巻線切換速度と速度検出器８で検出される３相交流電動機２０の速度を比較し、巻線切換速度以上のとき高速モードに巻線を切り換える信号を発生する。高速モードに巻線を切り換える信号は、巻線切換器３０に与えられ、ＳＷ２をＯＦＦ、ＳＷ１をＯＮし、インピーダンスを減少させた高速モードで３相交流電動機２０を駆動する。このとき、定数切換器１０にて高速モード用電動機定数を電流指令演算器２および電流制御器３に設定し制御を行う。
この巻線切換器３０で巻線が切り換えられる前に、ｄ軸電流指令補正値演算器７では、テーブルもしくは近似式と、トルク指令Ｔ_ref、３相交流電動機２０の速度、ＰＮ間電圧検出器１１にて検出したＰＮ間電圧を用いて、ｄ軸電流指令補正値Ｉｄを算出する。
近似式は以下の式（８）あるいは式（９）を用いる。
【００２７】
【数１０】
0005535285.tif 000011
【００２８】
【数１１】
0005535285.tif 000012
ただし、
【００２９】
【数１２】
0005535285.tif 000013
ここで、Ｖｏｍは電圧出力制限値、Ｉｑ_refは巻線が切り換わる前のｑ軸電流指令を用いる。また、ｄ軸電流指令補正値Ｉｄを算出する式は２式あるが、より電流値が小さくなる式を用い、負荷が増加して、Ｉｄが次式で与えられる値となった場合は式（９）を用いる。
【００３０】
【数１３】
0005535285.tif 000014
テーブルを用いてｄ軸電流指令補正値Ｉｄを算出する場合、ＰＮ間電圧変動を考慮したテーブルを用いるか、ＰＮ間電圧を考慮しないテーブルを用いる。ＰＮ間電圧を考慮しないテーブルを用いた場合、トルク指令と速度によって決められたｄ軸電流指令補正値Ｉｄ０にＰＮ間電圧Ｖdcを用いて補正を行い、ｄ軸電流指令補正値Ｉｄを算出する。
【００３１】
【数１４】
0005535285.tif 000015
式（８）（９）あるいは（１１）より算出されたｄ軸電流指令補正値Ｉｄは、低速モードから高速モードに切り換えて駆動されるときに、定出力制御器１２の積分器に設定され、積分演算の遅れを補償する。ただし、ｄ軸電流指令補正値Ｉｄが正の値となった場合、定出力制御器１５の積分器には０を設定する。この操作は巻線切換前後の電動機の発生トルクを同一の値に保つための処理であり、この操作により、巻線切換時の電流制御の応答特性を改善することができ、トルクの変動を緩和することができる。
なお、ｄ軸電流指令補正値Ｉｄが正の値の場合は、電動機の主磁束を増磁する方向に作用する電流を意味し、負の値の場合は減磁する方向に作用する電流であることを意味する。
図３は定出力制御器１２の詳細ブロック図を示したものである。電流制御器３より得られる電圧指令Ｖｄ，Ｖｑを振幅演算器４４によって式（１２）に示す演算を行い、減算器４０への電圧フィードバック信号とし、制限電圧指令との偏差量をＰＩ制御器４１にてＰＩ
【００３２】
【数１５】
0005535285.tif 000016
制御演算もしくはＩ制御演算し、Ｉｄ指令リミッタ４２と一次遅れフィルタ４３を介して３相交流電動機２０の逆起電圧を抑えるためのｄ軸電流指令補正値とする。すなわち、式（５）で求めたｄ軸電流指令を補正することで出力電圧を制限し、インバータからの出力を一定に保つ制御を行う。ここで、ｄ軸電流指令補正値はＩｄ指令リミッタ４２にて、正の値のときは０にリミットされ、負の値のときは所定の負の最大値にリミットされる。
図４は、（ａ）最大トルク／電流制御の場合と（ｂ）定出力制御の場合の電流ベクトルの様子を示したものである。（ｂ）の定出力制御時は、最大トルク／電流制御の場合に生成されるｄ軸電流指令に対して、さらに負のｄ軸電流が加算されて流れる。そのため、電流Ｉは定出力制御の方が大きくなる。ただし、電動機の端子電圧は図５に示す電圧ベクトルのように、定出力制御時の方が小さくなる（Ｖ→Ｖ′となる）。
図６は低速モード、高速モードにおける制御の切換領域を表わしたものである。図６で示すように、低速モードから高速モードへの切換時は定出力制御から最大トルク／電流制御となり、高速モードから低速モードへの切換時は最大トルク／電流制御から定出力制御となる。
【００３３】
本発明が従来技術と異なる部分は、定出力制御器１２によって算出されるｄ軸電流指令補正値を、予め巻線切換前にｄ軸電流指令補正値演算器７で算出し、この算出値を巻線切換のタイミングで定出力制御器１２の積分器に設定してやることで、積分演算の遅れを補償することである。この操作によって、巻線切換時の定出力制御への移行あるいは最大トルク／電流制御への移行を速やかに動作させることができ、図４に示す高効率位相βもしくは定出力制御位相β′にてモータを駆動することができ、トルクのショックを大幅に小さくすることができることである。
【実施例２】
【００３４】
図７は、本発明の実施例２における３相交流電動機の巻線切換装置の全体ブロック図である。図１との相違点は電圧ＦＦ（フィードフォワード）演算器１３が追加されたことである。以下、図７に基づいて説明する。
３相交流電動機２０を駆動し、３相交流電動機２０の速度やトルク指令に応じて巻線を切り換え、巻線切換は巻線切換速度で行う場合、巻線切換指令信号発生器９において、巻線切換速度と速度検出器８で検出される３相交流電動機２０の速度を比較し、巻線切換指令信号を生成する。巻線切換指令信号は、巻線切換器３０に与えられ、ＳＷ１およびＳＷ２をＯＮ、ＯＦＦすることにより低速モードから高速モードあるいは高速モードから低速モードに切り換え３相交流電動機２０を駆動する。このとき、定数切換器１０にて低速モードあるいは高速モードの電動機定数を電流指令演算器２および電流制御器３に設定し制御を行う。
この巻線切換器３０で巻線が切り換えられる前に、ｄ軸電流指令補正値演算器７で、テーブルもしくは近似式を用いて、ｄ軸電流指令補正値Ｉｄを算出する。算出されたｄ軸電流指令補正値Ｉｄは、巻線が切り換えられるときに、定出力制御器１２の積分器に設定され、積分演算の遅れを補償する。ただし、ｄ軸電流指令補正値Ｉｄが正の値となった場合、定出力制御器１２の積分器には０を設定する。
また、電圧ＦＦ（フィードフォワード）演算器１３において、ｄ軸電流指令補正値Ｉｄで補正されたｄ軸電流指令Ｉｄ_ref、ｑ軸電流指令Ｉｑ_ref、３相交流電動機の速度ω、電動機定数Ｌｄ，Ｌｑを用いて、下記の式より電圧フィードフォワードＶｄ_FF、Ｖｑ_FFを算出する。
【００３５】
【数１６】
0005535285.tif 000017
式（１３）で算出された電圧フィードフォワードＶｄ_FF，Ｖｑ_FFは、巻線が切り換えられるときに、電流制御器３のｄ軸およびｑ軸の電圧指令に電圧フィードフォワードとして加えられる。
電圧フィードフォワードによって３相交流電動機２０に印加される電圧が巻線切換直後に補償されるため、電流応答を上げることができ、３相交流電動機２０のトルクのショックを大幅に減らすことができる。
【実施例３】
【００３６】
ｄ軸電流補正値演算器７で、ｄ軸電流指令補正値Ｉｄを算出するために使用する、ＰＮ間電圧変動を考慮したテーブルの作成方法について説明する。
はじめに、ＰＮ間電圧を一定の値に固定し、巻線切換速度で低速モードの運転を行う。このときの定出力制御器１２から出力されるｄ軸電流指令補正値を測定する。ここで、トルク指令は電動機に負荷機等を用いて負荷を加えながら、０から最大トルクまで変更し、トルク指令に対するｄ軸電流指令補正値の測定を行う。次に高速モードに変更し、同じ手順で定出力制御器１２から出力されるｄ軸電流指令補正値を測定する。
上記手順を３相交流電動機２０を駆動する電圧範囲で、ＰＮ間電圧を変更しながら行うことで、ＰＮ間電圧変動を考慮した巻線切換時の定出力制御器１２から出力されるｄ軸電流指令補正値を測定する。
以上のようにして測定したデータをもとにして、トルク指令およびＰＮ間電圧を入力するとｄ軸電流指令補正値を出力するテーブルを作成することができる。
【００３７】
次に、ＰＮ間電圧変動を考慮しないｄ軸電流指令補正値Ｉｄ算出テーブルの作成方法について説明する。
はじめに、ＰＮ間電圧を一定の値に固定し、巻線切換速度で低速モードの運転を行う。このときの定出力制御器１２から出力されるｄ軸電流指令補正値を測定する。ここで、トルク指令は電動機に負荷機等を用いて負荷を加えながら、０から最大トルクまで変更し、トルク指令に対するｄ軸電流指令補正値の測定を行う。次に高速モードに変更し、同じ手順で定出力制御器１２から出力されるｄ軸電流指令補正値を測定する。
以上のようにして測定したデータをもとにして、トルク指令を入力するとｄ軸電流指令補正値を出力するテーブルを作成することができる。
【実施例４】
【００３８】
図８は、本発明の実施例４における３相交流電動機の巻線切換装置の全体ブロック図である。図１や図７と同一符号で示す部分は同一の回路ブロックまたは機能ブロックを意味するので説明を省略する。また、実施例４に係わる発明を説明するための便宜上、元の回路ブロックまたは機能ブロックを細分化した部分については、元の符号に添え字（ａ，ｂ）を付けて区別した。また、実施例４の説明において、関連性の少ない回路ブロックまたは機能ブロックは記載を省いている。例えば、図１に示す定出力制御器１２やｄ軸電流指令補正値演算器７などは、実施例４の中での説明では直接関与しないため記載を省略している。以下、図８に基づいて追加変更点を述べる。
３ａはｄ軸電流指令Ｉｄ_refとｑ軸電流指令Ｉｑ_refに追従して３相交流電動機２０に電流を流すように電圧指令を生成する電流制御器である。３ｂはスイッチング素子におけるデッドタイムやオン電圧、コンバータ部のＤＣ電圧の変動などを補正し、電流制御器３ａからの電圧指令通りの電圧が出力されるように各相電圧を演算して、ＰＷＭ制御器４ａに出力する電圧指令を補正演算する電圧指令設定器である。４ａは電圧指令設定器３ｂにて補正演算された電圧指令に従って３相交流電動機２０に可変周波数の可変電圧を供給するＰＷＭ制御器であり、半導体スイッチング素子等から構成されている。４ｂはキャリア信号を発生するキャリア信号発生器である。９ａは巻線切換指令信号発生器であり、３相交流電動機２０の速度やトルク指令に応じて巻線切換タイミングを決定し、定数切換器１０および巻線切換信号出力器９ｂに与える巻線切換指令信号を発生する。９ｂは巻線切換信号出力部であり、巻線切換器３０のスイッチング素子の駆動信号を出力する。
また、４５は電流検出器５で検出した３相交流電動機２０のＵ相，Ｖ相電流を、Ａ／Ｄ変換器６を介して入力し、α相、β相なる９０度位相差の２相の電流検出信号に変換する３相２相変換器であり、４６は３相２相変換器４５で演算したα相，β相電流検出信号からｄ軸電流検出信号、ｑ軸電流検出信号に変換するｄ−ｑ変換器である。また、１４はｄ−ｑ変換器４６で演算したｄ軸電流検出信号、q軸電流検出信号を、巻線切換に伴って生じる電動機定数、例えばインダクタンスや誘起電圧定数等の変化の比率に応じて補正する電流検出値補正演算器である。
【００３９】
次に、実施例４における巻線切換時の動作について説明する。図９は巻線切換時のタイムチャートを示したものである。キャリア信号発生器４ｂにより三角波のキャリア信号１０１が出力され、このキャリア信号１０１と電圧指令設定器３ｂから出力される各相の電圧指令信号１０５ａとを比較し、ＰＷＭ制御器４ａの半導体スイッチング素子の駆動信号を得る。キャリア信号発生器４ｂは、キャリア信号１０１と同時にキャリア同期信号１０２を出力する。図９ではキャリア信号１０１の谷側の頂点でキャリア同期信号１０２を出力する例を示している。このキャリア同期信号１０２を基準として電流検出処理１０３が開始される。電流検出処理１０３が完了した後に電流制御処理１０４が開始され、トルク指令に従った電流となるように電圧指令を求める。電流制御処理１０４により求められた電圧指令は、演算後のキャリア同期信号１０２のタイミングで出力される。つまり、電圧指令設定１０５の設定タイミングは電流を検出してから電圧を払い出すまでに、キャリア同期信号１０２の1周期分を要する。
【００４０】
ここで巻線切換指令信号発生器９ａから巻線切換指令信号１０６が図９に示す１０６ａのタイミングで発生した場合、実際の巻線切換動作は、巻線切換指令信号１０６ａが出力されてから２度目のキャリア同期信号１０２の１０２ｃのタイミングで行われる。すなわち、巻線切換信号出力１０８が１０８ａのタイミングで出力され、巻線切換器３０のスイッチング素子を駆動し巻線切換を行う。
また、この巻線切換指令信号１０６ａに従って電流制御演算に使用する電動機定数切換処理１０７が１０７ａのタイミングで実行される。電動機定数切換処理１０７が完了した後に実行される電流制御処理１０４は、巻線切換後の定数および電流指令で実行される。しかし、この時の電流検出器５で検出された電流検出値は巻線切換前の値である。そのためキャリア同期信号１０２の１０２ｂのタイミングにおいては、電流指令が巻線切換後の値で指令され、電流フィードバック信号となる電流検出値は巻線切換前の値となるため両者に不整合を生ずる。
そこで、電流検出値補正演算器１４により、巻線切換に伴って生じる電動機定数の変化の比率、具体的には、低速モードおよび高速モードにおける巻線インダクタンスの変化の比率に応じて次式に示すような電流検出値の補正を行う。
【００４１】
【数１７】
0005535285.tif 000018
【００４２】
【数１８】
0005535285.tif 000019
【００４３】
【数１９】
0005535285.tif 000020
【００４４】
【数２０】
0005535285.tif 000021
【００４５】
式（１４）〜（１７）において、Ｉd_fbはｄ軸電流検出値、Ｉq_fbはｑ軸電流検出値、Ｉd_fbc（L→H）は低速モードから高速モードへの切換時のd軸電流検出値の補正値、Ｉq_fbc（L→H）は低速モードから高速モードへの切換時のｑ軸電流検出値の補正値、Ｉd_fbc（H→L）は高速モードから低速モードへの切換時のd軸電流検出値の補正値、Ｉq_fbc（H→L）は高速モードから低速モードへの切換時のｑ軸電流検出値の補正値を示す。ＬｄＬ，ＬｑＬは低速モードにおけるｄ軸およびｑ軸の巻線インダクタンス、ＬｄＨ，ＬｑＨは高速モードにおけるｄ軸およびｑ軸の巻線インダクタンスである。
上記のような電流検出値の補正処理を行うことで、電流検出値は等価的に巻線切換後の値となり、電流制御器３ａにおける電流指令値と電流検出値の偏差が小さくなるため、補正なしの場合と比較して、電流偏差のＰＩ制御器からの出力電圧すなわち電圧指令が小さくなる。
さらに、巻線切換信号出力１０８が実行される１０８ａのタイミングで行われている電流制御処理１０４に使用されている電流検出値は、巻線切換前の値であるので、上述と同様に、電流検出値補正演算器１４により、巻線切換に伴って生じる巻線インダクタンスの変化の比率に応じて補正することで、電流検出値も等価的に巻線切換後の値となり、電流指令値と電流検出値の偏差が小さくなり、補正なしに比べて、電流制御器３ａのＰＩ制御器からの出力電圧が小さくなる。上記処理を行うことで、通電中の滑らかな巻線切換が可能となる。
【００４６】
本発明が従来技術と異なる部分は、巻線切換に伴って生じる電動機定数である巻線インダクタンスの変化の比率に応じて電流検出値を補正することで、電流指令と電流検出値の偏差が小さくなるので、巻線切換直後に電流制御器３ａのＰＩ制御器から出力される電圧が小さくなる。すなわち、巻線切換に伴う電流指令と電流検出値の不整合状態が緩和されるので、電流リップルが低減し３相交流電動機２０の発生トルクのショックを大幅に減らすことができる。
【実施例５】
【００４７】
図９のタイムチャートに示したように、電動機定数切換処理１０７が実行された後の２度目のキャリア同期信号１０２発生のタイミング１０２ｃで巻線切換信号出力１０８を１０８ａのタイミングで実行し、巻線切換器３０のスイッチング素子を駆動して巻線を切換える。このとき、定数切換器１０にて電動機定数を電流指令演算器２および電流制御器３ａに設定し制御を行う。
電動機定数を切換えた場合、上述の実施例４で説明した通り、電流制御器３ａで行われる処理では電流指令が巻線切換後の値となり、電流検出値が巻線切換前の値となる期間が２度存在する。そこで、電流検出値補正演算器１４により、巻線切換に伴って生じる巻線インダクタンスの変化の比率に応じて電流検出値を補正した。しかし、巻線インダクタンスやその他の電動機定数も含めて、それらの特性は電流の大きさや温度によって変化する。
【００４８】
図１０は、一例として、ｄ軸およびｑ軸の巻線インダクタンスの電流依存性を示したものである。従って、これらの電動機定数の電流および温度依存性を考慮し、例えば、巻線インダクタンスを電流指令によって補正すれば、さらに精度良く電流検出値を補正することができる。この場合の巻線インダクタンスの補正は、電流指令の１次関数もしくは２次関数による近似式を用いるか、または電流指令に対するテーブルを準備してもよい。図８の電流指令演算器２と電流検出補正演算器１４を結ぶ点線は電流指令によって巻線インダクタンスを補正し、その補正された巻線インダクタンスを用いて上述の式（１４）〜（１７）を実行し電流検出値を補正するように構成したものである。
なお、実際の電流検出値によって巻線インダクタンスの補正を行うことも当然可能であり、上述の電流指令による補正と同様に実施できる。
【実施例６】
【００４９】
実施例４および５では、巻線インダクタンスによって電流検出値を補正する方法を示したが、実施例６は巻線切換前後の電流指令によって補正を行うものである。巻線切換前後のｄ軸およびｑ軸の電流指令を、低速モードの場合は、ＩｄＬ_ref，ＩｑＬ_refとし、高速モードの場合をＩｄＨ_ref，ＩｑＨ_refとしたとき、電流検出値の補正を下式によって算出する。
【００５０】
【数２１】
0005535285.tif 000022
【００５１】
【数２２】
0005535285.tif 000023
【００５２】
【数２３】
0005535285.tif 000024
【００５３】
【数２４】
0005535285.tif 000025
【００５４】
上記の補正処理により、電流検出値は等価的に巻線切換後の値となり、電流制御器３ａにおける電流指令値と電流検出値の偏差が小さくなる。従って、補正なしの場合と比較して、電流偏差のＰＩ制御器からの出力電圧すなわち電圧指令が小さくなるので、通電中の滑らかな切換が可能となる。
【図面の簡単な説明】
【００５５】
【図１】本発明の実施例１における３相交流電動機の巻線切換装置の全体ブロック図
【図２】図１に示す巻線切換器３０の詳細構成図
【図３】図１に示す定出力制御器１２の詳細ブロック図
【図４】本発明における（ａ）最大トルク／電流制御の場合と（ｂ）定出力制御の場合の電流ベクトルを示す図
【図５】本発明における電圧ベクトルを示す図
【図６】本発明における低速モードおよび高速モード時の最大トルク／電流制御と定出力制御のトルク−回転速度特性の制御領域を示す図
【図７】本発明の実施例２における３相交流電動機の巻線切換装置の全体ブロック図
【図８】本発明の実施例４における３相交流電動機の巻線切換装置の全体ブロック図
【図９】本発明の実施例４における巻線切換時の動作を説明するタイムチャート
【図１０】本発明の実施例５における３相交流電動機の巻線インダクタンスの電流依存性を示す図
【図１１】従来の３相交流電動機の巻線切換装置の構成図
【符号の説明】
【００５６】
１  トルク指令発生器
２  電流指令演算器
３，３ａ  電流制御器
３ｂ  電圧指令設定器
４，４ａ  ＰＷＭ制御器
４ｂ  キャリア信号発生器
５  電流検出器
６  電流検出用Ａ／Ｄ変換器
７  ｄ軸電流指令補正値演算器
８  速度検出器
９，９ａ  巻線切換指令信号発生器
９ｂ  巻線切換信号出力器
１０  定数切換器
１１  ＰＮ間電圧検出器
１２  定出力制御器
１３  電圧ＦＦ演算器
１４  電流検出値補正演算器
１５  インバータ装置
２０  ３相交流電動機
２１  位置検出器
３０  巻線切換器
４０  減算器
４１  ＰＩ制御器
４２  Ｉｄ指令リミット
４３  一次遅れフィルタ
４４  振幅演算器
４５  ３相２相変換器
４６  ｄ−ｑ変換器
６０１  インバータ部
６０２  交流電動機
６０３、６０４  開閉器
６１４  コンバータ部
６１５  平滑コンデンサ
６１６〜６２１  ダイオード
６２２  電源
【図１】
0005535285.tif 000026
【図２】
0005535285.tif 000027
【図３】
0005535285.tif 000028
【図４】
0005535285.tif 000029
【図５】
0005535285.tif 000030
【図６】
0005535285.tif 000031
【図７】
0005535285.tif 000032
【図８】
0005535285.tif 000033
【図９】
0005535285.tif 000034
【図１０】
0005535285.tif 000035
【図１１】
0005535285.tif 000036